(57)【特許請求の範囲】
【請求項１】
原稿の画像を読み取る画像読取部と、読み取った原稿の画像に応じた穿孔画像をマスタ原紙に形成することによりマスタを製版する製版部と、印刷用紙が載置される給紙部と、製版された前記マスタを用いて前記給紙部から給紙された前記印刷用紙に対して印刷を行う印刷部とを有し、二面連写製版時には２枚の原稿の画像に応じた２つの穿孔画像を１枚のマスタ上に並べて形成する製版を前記製版部で行う孔版印刷装置において、
前記原稿のサイズを検知する原稿サイズ検知センサと、
前記印刷用紙のサイズを検知する用紙サイズ検知センサと、
二面連写製版時には１枚の原稿の画像に対応した１つの穿孔画像の形成領域が前記印刷用紙のサイズの１／２となるように穿孔画像の変倍率を自動的に設定する自動変倍率設定手段と、
製版開始時に所定の条件が満たされているときに自動的に二面連写製版を開始させる二面連写製版優先スタート手段と、
前記二面連写製版優先スタート手段が実行可能なモードにモード切り替えを行うモード切替キーと、
を有することを特徴とする孔版印刷装置。
【請求項２】
前記二面連写製版優先スタート手段により二面連写製版を自動的に開始させる所定の条件の一つは、印刷用紙のサイズに対する原稿のサイズの比率が所定値以下であることを特徴とする請求項１記載の孔版印刷装置。
【請求項３】
原稿の画像を読み取る画像読取部と、読み取った原稿の画像に応じた穿孔画像をマスタ原紙に形成することによりマスタを製版する製版部と、印刷用紙が載置される給紙部と、製版された前記マスタを用いて前記給紙部から給紙された前記印刷用紙に対して印刷を行う印刷部とを有し、二面連写製版時には２枚の原稿の画像に応じた２つの穿孔画像を１枚のマスタ上に並べて形成する製版を前記製版部で行う孔版印刷装置において、
前記原稿のサイズを検知する原稿サイズ検知センサと、
前記印刷用紙のサイズを検知する用紙サイズ検知センサと、
印刷用紙のサイズに対する原稿のサイズが１／２であるという所定の条件が満たされているときに原稿の画像サイズと同じサイズの穿孔画像を形成する二面連写製版を自動的に開始させる二面連写製版優先スタート手段と、
前記二面連写製版優先スタート手段が実行可能なモードにモード切り替えを行うモード切替キーと、
を有することを特徴とする孔版印刷装置。
【請求項４】
前記二面連写製版優先スタート手段により二面連写製版を自動的に開始させる所定の条件の一つは、入力された印刷枚数が所定枚数以上であることを特徴とする請求項１ないし３のいずれか一記載の孔版印刷装置。
【請求項５】
前記画像読取部で読み取った原稿の画像に対して穿孔画像を形成する向きを９０°回転させる画像回転手段を有し、前記原稿サイズ検知センサの検知結果と前記用紙サイズ検知センサの検知結果とから必要に応じて前記画像回転手段により穿孔画像が回転されることを特徴とする請求項１ないし４のいずれか一記載の孔版印刷装置。
【発明の詳細な説明】
【０００１】
【発明の属する技術分野】
本発明は、１枚のマスタに２枚の原稿の画像に応じた２つの穿孔画像を並べて形成する二面連写製版の機能を有し、そのマスタを用いた印刷を行うことができる孔版印刷装置に関する。
【０００２】
【従来の技術】
従来、孔版印刷装置には、二面連写製版の機能を備えたものが広く普及している。この二面連写製版の機能は、１枚のマスタに２枚の原稿（２枚の原稿は、同じ原稿又は異なる原稿）の画像に応じた２つの穿孔画像を並べて形成するものであり、例えば、図８の説明図▲１▼に示すように、１枚のマスタに同じ原稿の画像「Ａ」に対応する２つの穿孔画像を形成することができ、又は、図８の説明図▲２▼に示すように、１枚のマスタに異なる原稿の画像「Ａ」と「Ｂ」とに対応する穿孔画像を１つずつ形成することができる。
【０００３】
このように二面連写製版されたマスタを用いて適切なサイズの印刷用紙に印刷を行うことにより、１枚の印刷用紙に同じ画像が２つ印刷された印刷物、又は、１枚の印刷用紙に異なる２つの画像が印刷された印刷物が得られる。１枚の印刷用紙に同じ画像が２つ印刷された印刷物の場合には、その印刷物を２つの画像の境目部分から裁断して２枚の印刷物として用いることができる。１枚の印刷用紙に異なる２つの画像が印刷された印刷物の場合には、その印刷物を２つの画像の境目部分から裁断して２種類の印刷物として用いることができ、又は、その印刷物を２つの境目部分から折り曲げて袋とじ状態で使用することができる。
【０００４】
２つの画像が印刷された印刷物を２つに裁断して２枚の印刷物、又は、２種類の印刷物として使用する場合には、１枚の印刷用紙に対する１回の印刷動作により、２枚の印刷物又は２種類の印刷物が得られることになり、印刷作業の作業時間が半減される。
【０００５】
また、１枚のマスタに異なる２つの穿孔画像を形成して印刷を行う場合には、２種類の印刷物を印刷するにも拘らず使用するマスタは１枚でよく、マスタを製版するマスタ原紙の消費量が半減される。
【０００６】
このように、孔版印刷装置に設けられている二面連写製版の機能は、印刷作業の作業時間の短縮、マスタ原紙の消費量の削減の観点から、非常に有用な機能である。
【０００７】
【発明が解決しようとする課題】
しかし、二面連写製版の機能を用いる場合には、原稿のサイズと、使用する印刷用紙のサイズとに応じて、画像読取部で読み取った原稿の画像に応じた穿孔画像を形成する際の変倍率を指定しなければならならず、この指定が煩雑である。
この指定を間違えると、印刷作業や製版のやり直しをしなければならず、かえって、印刷作業の作業時間が長くなり、マスタ原紙の無駄や印刷用紙の無駄が発生する。
【０００８】
このため、二面連写製版の機能は非常に有用な機能でありながら、変倍率が１００％であってその指定が容易である場合、例えば、原稿のサイズがＡ４で、印刷用紙のサイズがＡ３であるような場合以外には、あまり使用されていないということが実情である。
【０００９】
また、二面連写製版を行う場合には、製版動作をスタートさせる度に、二面連写製版を行わせるための所定のキー操作を行うことが必要である。しかし、各マスタを製版する度に二面連写製版を行わせるための所定のキー操作を行うことは煩雑であり、二面連写製版を行おうとしたにも拘らず所定のキー操作を忘れたために通常の製版（１枚のマスタに１つの穿孔画像を形成する製版）が実行されてしまう場合もある。
【００１０】
そこで本発明は、二面連写製版の機能を利用することが簡単になり、それにより、印刷作業の作業時間の短縮やマスタ原紙の使用量の削減を図ることができる孔版印刷装置を提供することを目的とする。
【００１１】
【課題を解決するための手段】
請求項１記載の発明は、原稿の画像を読み取る画像読取部と、読み取った原稿の画像に応じた穿孔画像をマスタ原紙に形成することによりマスタを製版する製版部と、印刷用紙が載置される給紙部と、製版された前記マスタを用いて前記給紙部から給紙された前記印刷用紙に対して印刷を行う印刷部とを有し、二面連写製版時には２枚の原稿の画像に応じた２つの穿孔画像を１枚のマスタ上に並べて形成する製版を前記製版部で行う孔版印刷装置において、前記原稿のサイズを検知する原稿サイズ検知センサと、前記印刷用紙のサイズを検知する用紙サイズ検知センサと、二面連写製版時には１枚の原稿の画像に対応した１つの穿孔画像の形成領域が前記印刷用紙のサイズの１／２となるように穿孔画像の変倍率を自動的に設定する自動変倍率設定手段と、製版開始時に所定の条件が満たされているときに自動的に二面連写製版を開始させる二面連写製版優先スタート手段と、前記二面連写製版優先スタート手段が実行可能なモードにモード切り替えを行うモード切替キーと、を有する。
【００１２】
したがって、二面連写製版を行わせる場合には、原稿サイズ検知センサが検知した原稿サイズと用紙サイズ検知センサが検知した印刷用紙のサイズとから、マスタ原紙に形成する穿孔画像の変倍率が自動変倍率設定手段により自動的に設定される。このため、オペレータは、二面連写製版を開始させるためのキー操作を行うだけでよく、煩雑な変倍率の設定が不要となり、二面連写製版の機能を利用することが簡単になる。
【００１４】
また、モード切替キーを操作して孔版印刷装置を二面連写製版優先スタート手段が実行可能なモードに切り替えておくことにより、製版開始時に所定の条件が満たされているときには、自動的に二面連写製版が開始される。このため、二面連写製版を行う度に二面連写製版を開始させるための所定のキー操作を行うという煩雑さがなくなり、さらに、これから行う製版が二面連写製版に適しているか否かの判断が不要となり、二面連写製版の機能を利用することが簡単になる。
【００１５】
請求項２記載の発明は、請求項１記載の孔版印刷装置において、前記二面連写製版優先スタート手段により二面連写製版を自動的に開始させる所定の条件の一つは、印刷用紙のサイズに対する原稿のサイズの比率が所定値以下である。
【００１６】
したがって、印刷用紙のサイズに対する原稿のサイズの比率が所定値以下であるために二面連写製版に適している場合に、二面連写製版が行われる。この所定値とは、例えば、８５％である。そして、印刷用紙のサイズに対する原稿のサイズの比率が所定値以上である場合、例えば、印刷用紙のサイズと原稿のサイズとが略同じである場合、原稿のサイズのほうが大きい場合等には、二面連写製版は行われない。このような条件のときに二面印刷製版を行うと、マスタに形成された穿孔画像、及び、印刷用紙上に印刷された画像のサイズが小さくなり過ぎるからである。
【００１７】
請求項３記載の発明は、原稿の画像を読み取る画像読取部と、読み取った原稿の画像に応じた穿孔画像をマスタ原紙に形成することによりマスタを製版する製版部と、印刷用紙が載置される給紙部と、製版された前記マスタを用いて前記給紙部から給紙された前記印刷用紙に対して印刷を行う印刷部とを有し、二面連写製版時には２枚の原稿の画像に応じた２つの穿孔画像を１枚のマスタ上に並べて形成する製版を前記製版部で行う孔版印刷装置において、前記原稿のサイズを検知する原稿サイズ検知センサと、前記印刷用紙のサイズを検知する用紙サイズ検知センサと、印刷用紙のサイズに対する原稿のサイズが１／２であるという所定の条件が満たされているときに原稿の画像サイズと同じサイズの穿孔画像を形成する二面連写製版を自動的に開始させる二面連写製版優先スタート手段と、前記二面連写製版優先スタート手段が実行可能なモードにモード切り替えを行うモード切替キーと、を有する。
【００１８】
したがって、モード切替キーを操作して孔版印刷装置を二面連写製版優先スタート手段が実行可能なモードに切り替えておくことにより、原稿の画像サイズが印刷用紙のサイズの１／２のとき、つまり、原稿の画像サイズと印刷された印刷物の画像サイズとが同じになる場合に二面連写製版が行われる。オペレータは通常、変倍率を指定しない限り、原稿の画像サイズと印刷物の画像サイズとは同じになるものと意識しており、印刷用紙のサイズに対する原稿のサイズが１／２であるときにのみ原稿の画像サイズと同じサイズの穿孔画像を形成して二面連写製版を自動的に開始させることにより、二面連写製版を行うことによる印刷作業の作業時間の短縮や使用するマスタ原紙の使用量の削減を図りつつ、オペレータの意に反して原稿の画像サイズと異なる画像サイズの印刷物が印刷されるという事態の発生を防止することができる。
【００１９】
請求項４記載の発明は、請求項１ないし３のいずれか一記載の孔版印刷装置において、前記二面連写製版優先スタート手段により二面連写製版を自動的に開始させる所定の条件の一つは、入力された印刷枚数が所定枚数以上である。
【００２０】
したがって、二面連写製版は、その二面連写製版されたマスタを使用した印刷枚数が所定枚数以上の場合に行われ、印刷作業の作業時間の短縮を図ることができる。なお、印刷枚数が所定枚数以下である場合には、二面連写製版を行っても印刷作業の作業時間の短縮という点からのメリットは小さいので、二面連写製版は行われない。
【００２１】
請求項５記載の発明は、請求項１ないし４のいずれか一記載の孔版印刷装置において、前記画像読取部で読み取った原稿の画像に対して穿孔画像を形成する向きを９０°回転させる画像回転手段を有し、前記原稿サイズ検知センサの検知結果と前記用紙サイズ検知センサの検知結果とから必要に応じて前記画像回転手段により穿孔画像が回転される。
【００２２】
したがって、二面連写製版時には、原稿サイズ検知センサの検知結果と用紙サイズ検知センサの検知結果とから、穿孔画像を形成する向きが必要に応じて画像回転手段により９０°回転される。これにより、二面連写製版時に、画像読取部で読み取る原稿の向きや、給紙部に載置する印刷用紙の向きを考慮する必要がなくなり、二面連写製版の機能を利用することが簡単になる。
【００３３】
【発明の実施の形態】
本発明の一実施の形態を図１ないし図７に基づいて説明する。図１は、孔版印刷装置の全体構造を示す縦断正面図である。なお、孔版印刷装置の基本的構造は周知のものであるので、基本的構造は簡単に説明する。この孔版印刷装置は、画像読取部１、製版部２、印刷部３、排版部４、給紙部５、排紙部６等から構成されている。
【００３４】
画像読取部１は、コンタクトガラス上に位置する原稿７の画像を光学的に読み取るもので、さらに、原稿７のサイズを検知する原稿サイズ検知センサ８を備えている。
【００３５】
製版部２は、ロール状に巻かれたマスタ原紙９ａを保持する保持部１０、マスタ原紙９ａを引き出すプラテンローラ１１、マスタ原紙９ａを加熱溶融穿孔することにより画像読取部１で読み取った原稿７の画像に応じた穿孔画像１２（図６参照）を形成するサーマルヘッド１３、穿孔画像１２が形成されたマスタ原紙９ａを所定長さにカットするカッタ１４等から構成されている。穿孔画像１２が形成されたマスタ原紙９ａがカッタ１４で所定長さにカットされることによりマスタ９（図６参照）が形成される。
【００３６】
印刷部３は、軸線回りに回転駆動されてその外周面にマスタ９が巻き付けられる多孔性で円筒状の版胴１５、版胴１５の外周面に接離する位置へ移動自在なプレスローラ１６、版胴１５の内部に設けられた図示しないインキ供給部、給紙部５から給紙された印刷用紙１７を印刷位置へ送り込むとともにその送り込みタイミングを計るレジストローラ１８等から構成されている。この印刷部３では、マスタ９が巻き付けられた版胴１５とプレスローラ１６とで給紙部５から給紙された印刷用紙１７を挟持し、このときに、インキ供給部から版胴１５内に供給されているインキをマスタ９の穿孔部分から滲み出させて印刷用紙１７に転写することにより印刷を行う。
【００３７】
排版部４は、所定枚数の印刷が終了して不要になった使用済みのマスタ９を版胴１５の外周面から剥がし、剥がしたマスタ９を収納する構造であり、使用済みのマスタ９を版胴１５の外周面から剥がすための排版ローラ１９、版胴１５から剥がされたマスタ９を収納する排版収納箱２０により構成されている。
【００３８】
給紙部５は、印刷用紙１７が載置されるところであり、この給紙部５に載置された印刷用紙１７が給紙動作により１枚ずつ分離されて印刷部３へ送られる。この給紙部５には、載置された印刷用紙１７のサイズを検知する用紙サイズ検知センサ２１が設けられている。
【００３９】
また、この孔版印刷装置には、第２、第３の給紙部５ａ，５ｂが設けられており、これらの給紙部５ａ，５ｂにはそれぞれ異なるサイズの印刷用紙１７が載置されている。さらに、これらの給紙部５ａ，５ｂにも、載置された印刷用紙１７のサイズを検知する用紙サイズ検知センサ２１ａ，２１ｂが設けられている。
【００４０】
排紙部６は、印刷が終了した印刷用紙１７が排紙されるところであり、排紙された印刷用紙１７の用紙揃えを行うためのエンドフェンス２２と一対のサイドフェンス２３とを備えている。
【００４１】
印刷部３から排紙部６に至る印刷用紙１７の搬送経路上には、印刷が行われた印刷用紙１７を排紙部６に向けて吸着搬送する吸着搬送機構２４と、後述する二面連写製版されたマスタ９を用いた印刷時に、印刷用紙１７に印刷された２つの画像をその境目部分から裁断する裁断機構２５とが設けられている。
【００４２】
裁断機構２５は、図２に拡大して示すように、印刷用紙１７の搬送経路を挟んで配置され、接離位置へ移動自在な一対のローラ２６，２７と、一方のローラ２７の外周部に固定された裁断刃２８とにより構成されている。ローラ２６は、印刷用紙１７の搬送速度と同じ周速度で常時回転駆動され、ローラ２７は電磁クラッチ２９の断続により特定のタイミングで回転し、裁断刃２８により２つの画像が印刷された印刷用紙１７をその画像の境目部分から裁断する。裁断機構２５の動作タイミング、即ち、ローラ２７の回転タイミングは、印刷部３での印刷タイミングに連動して行われる。例えば、レジストローラ１８の駆動開始から所定のタイミング遅れて回転し、又は、版胴１５の回転位置を検知するセンサ３０からの出力に基づいて回転する。
【００４３】
図３は、孔版印刷装置に設けられている操作パネル３１の一部を示す平面図である。操作パネル３１上には、製版スタートキー３２、印刷スタートキー３３、テンキー３４、印刷枚数が表示される枚数表示部３５、画像読取部１で読み取った原稿７の画像のサイズとマスタ原紙９ａに形成する穿孔画像１２のサイズとの変倍率を表示する変倍率表示部３６、変倍率を手動で設定するときの縮小キー３７、等倍キー３８、拡大キー３９、二面連写製版を行う場合にオンにする二面連写製版モードキー４０、二面連写製版が開始されるときに点灯されるＬＥＤランプ４１、所定の条件を満たしている場合に二面連写製版が行われるモードにモード切り替えを行うモード切替キーである二面連写製版優先モードキー４２、二面連写製版優先モードキー４２をオンさせたときに点灯されるＬＥＤランプ４３、裁断機構２５を動作させるときにオンさせる裁断動作モードキー４４、裁断動作モードキー４４をオンさせたときに点灯されるＬＥＤランプ４５等が設けられている。二面連写製版優先モードキー４２、ＬＥＤランプ４３、裁断動作モードキー４４、ＬＥＤランプ４５は、開閉自在な隠しカバー４６により覆われている。
【００４４】
図４は、孔版印刷装置の制御系の電気的接続を示すブロック図である。前述した各部の動作は、図４に示す制御系によってなされる。この制御系は、図示しないＣＰＵ及びメモリからなるマイクロコンピュータ構成の制御部４７を主要な構成要素として備え、この制御部４７に、メインスイッチ４８、操作パネル３１、画像読取部１、原稿サイズ検知センサ８、製版部２、印刷部３、排版部４、給紙部５，５ａ，５ｂ、用紙サイズ検知センサ２１，２１ａ，２１ｂ、センサ３０、裁断機構２５、画像読取部１で読み取った画像のデジタルデータを記憶する画像メモリ４９等が接続されている。
【００４５】
ここで、この孔版印刷装置には、制御部４７におけるマイクロコンピュータ動作によって実行される各種の処理として、自動変倍率設定手段、二面連写製版優先スタート手段、画像回転手段、自動用紙選択手段、給紙枚数制御手段、枚数表示制御手段等が設けられている。
【００４６】
自動変倍率設定手段は、二面連写製版時において、１枚の原稿７の画像に対応した１つの穿孔画像１２の形成領域が、印刷に用いられる印刷用紙１７のサイズの１／２となるように、原稿７のサイズに対する穿孔画像１２のサイズの変倍率を自動的に設定する処理である。この処理は、二面連写製版が行われる場合であって、かつ、使用する印刷用紙１７が指定されているときに、原稿サイズ検知センサ８の検知結果と用紙サイズ検知センサ２１（又は、２１ａ，２１ｂ）の検知結果とから演算される。
【００４７】
例えば、原稿７のサイズが「Ａ４」であって印刷用紙１７のサイズが「Ｂ４」である場合には、穿孔画像１２のサイズを印刷用紙１７の１／２のサイズ、即ち、「Ｂ５」のサイズに変倍する必要がある。そこで、「Ａ４サイズ→Ｂ５サイズ」とする変倍率８７％が演算され、マスタ９には、原稿７の画像の８７％のサイズの穿孔画像１２が形成される。演算された変倍率は、変倍率表示部３６に表示される。図６は、Ａ４サイズの原稿７と（ａ）、Ｂ４サイズの印刷用紙１７と（ｃ）、Ｂ５サイズに変倍されてマスタ９に形成された穿孔画像１２と（ｂ）の関係を示す説明図である。１枚のマスタ９には、Ｂ５サイズに変倍された２つの穿孔画像１２が並んで形成され、印刷用紙１７にはＢ５サイズの画像が２つ並んで印刷される。
【００４８】
二面連写製版優先スタート手段は、二面連写製版モードキー４０をオフにし、二面連写製版優先モードキー４２をオンにして製版スタートキー３２をオンさせたときに、所定の条件が満たされている場合に二面連写製版を自動的に開始させる処理である。この処理が開始される所定の条件としては、後述するように、印刷用紙１７のサイズに対する原稿７のサイズの比率が所定値以下であること、入力された印刷枚数が所定枚数以上であること等である。
【００４９】
画像回転手段は、穿孔画像１２を形成するときに、その向きを９０°回転させる処理である。この処理は、原稿サイズ検知センサ８の検知結果と、用紙サイズ検知センサ２１（又は、２１ａ，２１ｂ）の検知結果とに基づいて行われる。この処理により、画像読取部１にセットする原稿７の向きや、給紙部５，５ａ，５ｂに載置する印刷用紙１７の向きに関して、特別な注意を払わなくとも二面連写製版、及び、製版されたマスタ９を用いた印刷を行える。図７は、画像回転手段が実行される様子について説明する説明図である。（ａ）は画像読取部１にセットされたＡ４サイズの原稿７、（ｂ）は画像読取部１で読み取られた後に画像メモリ４９に格納されるとともに９０°回転された画像データ、（ｃ）は回転された画像データの向きで８７％に変倍されたＢ５サイズの２つの穿孔画像１２が二面連写製版されたマスタ９、（ｄ）はＢ５サイズに変倍された２つの画像が印刷されたＢ４サイズの印刷用紙１７である。
【００５０】
自動用紙選択手段は、複数の給紙部５，５ａ，５ｂにそれぞれサイズの異なる印刷用紙１７が載置されており、原稿７の画像に対する穿孔画像１２の変倍率を指定して二面連写印刷を行う場合において、マスタ９上に形成される穿孔画像１２の２倍のサイズの印刷用紙１７をいずれかの給紙部５，５ａ，５ｂのなかから自動的に選択する処理である。
【００５１】
給紙枚数制御手段は、二面連写製版されたマスタ９を用いた印刷時に印刷用紙１７の給紙枚数を制御する処理であり、入力された印刷枚数Ｎが偶数の場合にはＮ／２枚、入力された印刷枚数Ｎが奇数の場合には（Ｎ＋１）／２枚の印刷用紙の給紙を行うことにより、必要な枚数の印刷物を得ることができる。この処理により、オペレータは、通常製版されたマスタ９を用いた印刷であるか、二面連写製版されたマスタ９を用いた印刷であるかに拘らず、必要な印刷物の枚数を入力すればよく、印刷枚数の入力操作が容易になり、しかも、必要枚数以上の印刷物を作成してしまうということが防止される。
【００５２】
枚数表示制御手段は、二面連写製版されたマスタ９を用いた印刷時に枚数表示部３５に表示される印刷済枚数又は残り印刷枚数を２ずつ変化させる処理である。この処理により、オペレータは、通常製版されたマスタ９を用いた印刷であるか、二面連写製版されたマスタ９を用いた印刷であるかに拘らず、必要な印刷物の枚数を入力すればよく、印刷枚数の入力操作が容易になる。しかも、枚数表示部３５の表示を見たときに、印刷作業の進行状態を正確に把握できる。
【００５３】
図５は、製版時の制御について説明するフローチャートである。なお、このフローチャートの説明では、給紙部５に載置された印刷用紙１７を使用するように指定されているものとする。また、この孔版印刷装置には、二面連写製版モードキー４０と二面連写製版優先モードキー４２とが設けられており、二面連写製版モードキー４０がオンにされた後に製版スタートキー３２がオンにされた場合には、二面連写製版が開始される。一方、二面連写製版モードキー４０がオフにされ、二面連写製版優先モードキー４２がオンにされているときに製版スタートキー３２がオンにされた場合には、所定の条件が満たされているときには二面連写製版が開始され、所定の条件が満たされていないときには通常の製版（１枚のマスタ９に１つの穿孔画像１２を形成する製版）が開始される。そこで、このフローチャートの説明にあたっては、二面連写製版モードキー４０がオンにされている場合と、オフにされている場合とに大別して説明する。
【００５４】
まず、二面連写製版モードキー４０がオンにされている場合について説明する。製版を開始するために製版スタートキー３２がオンにされると、二面連写製版モードキー４０がオンにされているか否かが判断される（ステップＳ１）。なお、二面連写製版モードキー４０がオンにされている場合には、ＬＥＤランプ４１が点灯されている。
【００５５】
二面連写製版モードキー４０がオンにされている場合には（ステップＳ１のＹ）、原稿サイズ検知センサ８で検知された原稿７のサイズと用紙サイズ検知センサ２１で検知された印刷用紙１７のサイズとから、二面連写製版のための最適な変倍率が演算され（ステップＳ２）、ここに、自動変倍率設定手段が実行される。この変倍率は、例えば、原稿７のサイズが「Ａ４」であって印刷用紙１７のサイズが「Ｂ４」である場合には、マスタ９に形成する穿孔画像１２のサイズを印刷用紙１７の１／２のサイズ、即ち、「Ｂ５」のサイズに変倍する値であり、８７％である。
【００５６】
ステップＳ２において変倍率が演算されると、演算された変倍率が変倍率表示部３６に表示される（ステップＳ３）。
【００５７】
ステップＳ３において変倍率表示部３６への変倍率表示が行われた後、二面連写製版モードキー４０がオンであるか否かが再度判断される（ステップＳ４）。二面連写製版モードキー４０がオンである場合には（ステップＳ４のＹ）、既にＬＥＤランプ４１が点灯されているので、そのまま二面連写製版が開始される（ステップＳ５）。ここで、このステップＳ５での二面連写製版時には、最初の製版動作によりマスタ９の半分の領域に穿孔画像１２が形成され、再度原稿７の読み取りが行われた後に行われる二度目の製版動作により残りの半分の領域に穿孔画像１２が形成される。また、このステップＳ５での二面連写製版時には、必要に応じて画像回転手段が実行される。
【００５８】
つぎに、二面連写製版モードキー４０がオフにされている場合について説明する。ステップＳ１において二面連写製版モードキー４０がオフにされていると判断されると（ステップＳ１のＮ）、二面連写製版優先モードキー４２がオンにされているか否かが判断される（ステップＳ６）。
【００５９】
二面連写製版優先モードキー４２がオフにされている場合には（ステップＳ６のＮ）、通常製版が開始される（ステップＳ７）。
【００６０】
二面連写製版優先モードキー４２がオンにされている場合には（ステップＳ６のＹ）、使用する印刷用紙１７のサイズに対する原稿７のサイズの比率が設定値以下であるか否かが判断される（ステップＳ８）。この設定値とは、ユーザーが任意に設定できる値であり、例えば、８５％である。
【００６１】
印刷用紙１７のサイズに対する原稿７のサイズの比率が設定値以上である場合には（ステップＳ８のＮ）、そのような原稿７の画像を二面連写製版すると、穿孔画像１２が小さくなり過ぎるとともに印刷物の画像も小さくなり過ぎるということになるので、二面連写製版は行われず、通常製版が行われる（ステップＳ７）。
【００６２】
印刷用紙１７のサイズに対する原稿７のサイズの比率が設定値以下である場合には（ステップＳ８のＹ）、入力された印刷枚数が所定枚数以上であるか否かが判断される（ステップＳ９）。この所定枚数とは、ユーザーが任意に設定できる値であり、例えば、５０枚である。
【００６３】
入力された印刷枚数が所定枚数以下である場合には（ステップＳ９のＮ）、二面連写製版をしても印刷作業の作業時間の短縮という点でのメリットが少ないので、二面連写製版は行われず、通常製版が行われる（ステップＳ７）。
【００６４】
印刷用紙１７のサイズに対する原稿７のサイズの比率が設定値以下であり（ステップＳ８のＹ）、かつ、入力された印刷枚数が設定枚数以上である場合には（ステップＳＳ９のＹ）、二面連写製版が開始されることになり、ここに、二面連写製版優先スタート手段が実行される。この二面連写製版優先スタート手段の実行により、原稿サイズ検知センサ８で検知された原稿７のサイズと用紙サイズ検知センサ２１で検知された印刷用紙１７のサイズとから、二面連写製版のための最適な変倍率が演算され（ステップＳ２）、ここに、自動変倍率設定手段が実行される。
【００６５】
ステップＳ２において変倍率が演算されると、演算された変倍率が変倍率表示部３６に表示される（ステップＳ３）。
【００６６】
ステップＳ３において変倍率表示部３６への変倍率表示が行われた後、二面連写製版モードキー４０がオンであるか否かが再度判断される（ステップＳ４）。二面連写製版モードキー４０がオフである場合には（ステップＳ４のＮ）、ＬＥＤランプ４１が点灯され（ステップＳ１０）、二面連写製版が行われることをオペレータへ知らせた後、二面連写製版が開始される（ステップＳ５）。
【００６７】
このような構成において、画像読取部１に原稿７をセットし、印刷枚数の入力などの所定の操作を行った後、製版スタートキー３２をオンさせることにより、原稿７の画像の読み取りと、読み取った画像に応じたマスタ９の製版と、製版されたマスタ９の版胴１５への巻き付けとが行われる。その後、印刷スタートキー３３をオンさせることにより、給紙部５（又は、５ａ，５ｂ）から印刷用紙１７が給紙され、印刷部３においてその印刷用紙１７に対する印刷が行われ、印刷が終了した印刷用紙１７が排紙部６へ排紙される。
【００６８】
ここで、製版スタートキー３２をオンさせてマスタ９の製版を行う場合において、図５のフローチャートにおいて説明したように、二面連写製版モードキー４０がオンの場合、又は、二面連写製版モードキー４０はオフであるが二面連写製版優先モードキー４２がオンであって所定の条件が満たされている場合には、二面連写製版が行われる。このとき、原稿７のサイズと使用する印刷用紙１７のサイズとから、二面連写製版する穿孔画像１２の変倍率が自動変倍率設定手段により自動的に設定されるので、オペレータは煩雑な変倍率の設定を行う必要がなくなり、二面連写製版の機能を利用することが簡単になる。
【００６９】
また、二面連写製版モードキー４０をオフにするとともに二面連写製版優先モードキー４２をオンにしている場合、所定の条件が満たされることにより、二面連写製版優先スタート手段の実行により二面連写製版が自動的に開始されるので、オペレータは、二面連写製版とすべきか通常製版とすべきかを判断するという煩わしさがなくなり、二面連写製版の度に二面連写製版モードキー４０をオンさせるという手間がかからなくなる。これによっても、二面連写製版の機能を利用することが簡単になる。
【００７０】
さらに、この二面連写製版優先スタート手段の実行時には、図５のフローチャートのステップＳ８で説明したように、印刷用紙１７のサイズに対する原稿７のサイズの比率が設定値以上のときは二面連写製版が行われないので、変倍してマスタ９に形成された穿孔画像１２、及び、印刷された印刷用紙１７上の画像が小さくなり過ぎるということが防止される。
【００７１】
このステップ８での判断条件として、印刷用紙１７のサイズに対する原稿７のサイズの比率が１／２の場合に限定してもよい。このように限定することにより、原稿７のサイズと同じサイズの印刷物が形成されるようになり、オペレータの意に反して原稿７のサイズと異なるサイズの印刷物が印刷されるということを防止できる。
【００７２】
二面連写製版されたマスタ９を用いて印刷された印刷用紙１７上には、図６、図７又は図８に示すように、２つの画像が並んで印刷されている。そこで、裁断動作モードキー４４をオンにすることにより、ローラ２６，２７が近接位置へ移動するとともに回転駆動され、２つの画像が形成された印刷用紙１７は、その画像の境目部分から裁断刃２８により裁断され、排紙部６に排紙される。これにより、二つの画像が形成された印刷用紙１７が排紙部６に排紙され、その後にその印刷用紙１７を２つの画像の境目部分から裁断するという手間がかからなくなる。しかも、別個に裁断装置を準備する必要がなくなる。
【００７３】
裁断機構２５は、印刷部３での印刷タイミング、例えば、レジストローラ１８の駆動開始から所定のタイミング遅れて動作し、又は、版胴１５の回転位置を検知するセンサ３０からの出力に基づいて動作するように動作タイミングを設定されているので、２つの画像の境目部分から精度良く裁断することができる。
【００７４】
つぎに、ここまでの説明では、使用する印刷用紙１７のサイズを指定した場合について説明したが、本実施の形態の孔版印刷装置は、複数の給紙部５，５ａ，５ｂを備え、各給紙部５，５ａ，５ｂにはそれぞれ異なるサイズの印刷用紙１７が載置されているものである。そこで、使用する印刷用紙１７のサイズを指定せずに、形成する穿孔画像１２の変倍率を指定し、指定した変倍率と原稿サイズ検知センサ８の検知結果とから、使用する印刷用紙１７を自動用紙選択手段により自動的に選択してもよい。これにより、オペレータは、原稿７の大きさから判断した必要な印刷画像の大きさを指定するだけでよく、最適なサイズの印刷用紙１７を指定するという手間が不要になり、二面連写製版の機能を利用することが簡単になる。
【００７５】
【発明の効果】
請求項１記載の発明の孔版印刷装置によれば、二面連写製版を行わせる場合には、原稿サイズ検知センサが検知した原稿サイズと用紙サイズ検知センサが検知した印刷用紙のサイズとから、マスタ原紙に形成する穿孔画像の変倍率を自動変倍率設定手段により自動的に設定できるので、オペレータは、二面連写製版を開始させるためのキー操作を行うだけでよく、煩雑な変倍率の設定が不要となり、二面連写製版の機能を利用することが簡単になる。
【００７６】
また、製版開始時に所定の条件が満たされているときに自動的に二面連写製版を開始させる二面連写製版優先スタート手段と、二面連写製版優先スタート手段が実行可能なモードにモード切り替えを行うモード切替キーとを有するので、モード切替キーを操作して孔版印刷装置を二面連写製版優先スタート手段が実行可能なモードに切り替えておくことにより、製版開始時に所定の条件が満たされているときには自動的に二面連写製版を開始させることができ、このため、二面連写製版を行う度に二面連写製版を開始させるための所定のキー操作を行うという煩雑さをなくすことができ、さらに、これから行う製版が二面連写製版に適しているか否かの判断が不要となり、二面連写製版の機能を利用することが簡単になる。
【００７７】
請求項２記載の発明によれば、請求項１記載の孔版印刷装置において、二面連写製版優先スタート手段により二面連写製版を自動的に開始させる所定の条件の一つは、印刷用紙のサイズに対する原稿のサイズの比率が所定値以下であることなので、印刷用紙のサイズに対する原稿のサイズの比率が所定値以下であるために二面連写製版に適している場合に、二面連写製版を自動的に行わせることができ、マスタに形成された穿孔画像、及び、印刷用紙上に印刷された画像が小さくなり過ぎるということを防止できる。
【００７８】
請求項３記載の発明によれば、モード切替キーを操作して孔版印刷装置を二面連写製版優先スタート手段が実行可能なモードに切り替えておくことにより、原稿の画像サイズが印刷用紙のサイズの１／２のとき、つまり、原稿の画像サイズと印刷された印刷物の画像サイズとが同じになる場合にのみ二面連写製版が自動的に行われるので、オペレータの意に反して原稿の画像サイズと異なる画像サイズの印刷物が印刷されるという事態の発生を防止できる。
【００７９】
請求項４記載の発明によれば、請求項１ないし３のいずれか一記載の孔版印刷装置において、二面連写製版優先スタート手段により二面連写製版を自動的に開始させる所定の条件の一つは、入力された印刷枚数が所定枚数以上であることなので、印刷枚数が所定枚数以上の場合には二面連写製版が自動的に行われ、印刷作業の作業時間の短縮を有効に図ることができる。
【００８０】
請求項５記載の発明によれば、請求項１ないし４のいずれか一記載の孔版印刷装置において、画像読取部で読み取った原稿の画像に対して穿孔画像を形成する向きを９０°回転させる画像回転手段を有し、原稿サイズ検知センサの検知結果と用紙サイズ検知センサの検知結果とから必要に応じて画像回転手段により穿孔画像が回転されるので、二面連写製版時には、画像読取部で読み取る原稿の向きや給紙部に載置する印刷用紙の向きを考慮する必要がなくなり、二面連写製版の機能を利用することが簡単になる。
【図面の簡単な説明】
【図１】本発明の一実施の形態の孔版印刷装置を示す縦断正面図である。
【図２】裁断機構を拡大して示す正面図である。
【図３】孔版印刷装置に設けられている操作パネルの一部を示す平面図である。
【図４】孔版印刷装置の制御系の電気的接続を示すブロック図である。
【図５】製版時の制御について説明するフローチャートである。
【図６】原稿のサイズと、使用する印刷用紙のサイズと、変倍されてマスタに形成された穿孔画像との関係を示す説明図である。
【図７】画像回転手段が実行される様子について説明する説明図である。
【図８】原稿と、二面連写製版されたマスタと、そのマスタを用いて印刷された印刷物との関係を示す説明図である。
【符号の説明】
１      画像読取部
２      製版部
３      印刷部
５，５ａ，５ｂ  給紙部
７      原稿
８      原稿サイズ検知センサ
９      マスタ
９ｂ    マスタ原紙
１２      穿孔画像
１７      印刷用紙
２１，２１ａ，２１ｂ  用紙サイズ検知センサ
２５      裁断機構
３５      枚数表示部
４２      モード切替キー
ステップＳ２    自動変倍率設定手段
【図１】
0004540020.tif 000002
【図２】
0004540020.tif 000003
【図３】
0004540020.tif 000004
【図４】
0004540020.tif 000005
【図５】
0004540020.tif 000006
【図６】
0004540020.tif 000007
【図７】
0004540020.tif 000008
【図８】
0004540020.tif 000009